(57)【要約】【課題】機密性や堅牢性を維持しつつ、サーバラック内部の放熱効果を向上させることができる制御装置を提供する。【解決手段】制御装置は、電子機器を内部に収容するラック本体の周辺におけるセキュリティの状態を示すセキュリティ情報を取得するセキュリティ情報取得部と、前記ラック本体の内部の温度を示す温度情報を取得する温度情報取得部と、前記温度情報及び前記セキュリティ情報に基づいて、前記ラック本体の内部の熱を前記ラック本体の外部へ放出するための放熱窓の開閉を制御する開閉制御部と、を備える。【選択図】図９
2020154703.tif 000002
【特許請求の範囲】
【請求項１】
電子機器を内部に収容するラック本体の周辺におけるセキュリティの状態を示すセキュリティ情報を取得するセキュリティ情報取得部と、
前記ラック本体の内部の温度を示す温度情報を取得する温度情報取得部と、
前記温度情報及び前記セキュリティ情報に基づいて、前記ラック本体の内部の熱を前記ラック本体の外部へ放出するための放熱窓の開閉を制御する開閉制御部と、
を備える制御装置。
【請求項２】
前記開閉制御部は、前記セキュリティ情報が異常がないことを示しており、かつ、前記温度情報が所定値以上の温度を示している場合に、前記放熱窓を開く
請求項１に記載の制御装置。
【請求項３】
前記開閉制御部は、前記セキュリティ情報が異常があることを示しており、かつ、前記温度情報が前記所定値以上の温度を示している場合には、前記セキュリティ情報が異常がないことを示しており、かつ、前記温度情報が前記所定値以上の温度を示している場合の開口率よりも低い開口率で前記放熱窓を開く
請求項２に記載の制御装置。
【請求項４】
前記開閉制御部は、前記セキュリティ情報が異常がないことを示しており、かつ、前記温度情報が所定値以上の温度を示すことが検出された回数が所定数に達した場合に、前記放熱窓を開く
請求項１に記載の制御装置。
【請求項５】
前記放熱窓は、第１および第２の放熱窓を含み、
前記第１の放熱窓の近傍に設置され、温度を検出する第１の温度センサと、
前記第２の放熱窓の近傍に設置され、温度を検出する第２の温度センサと、
をさらに備え、
前記開閉制御部は、前記第１の温度センサによって検出された温度に基づく温度情報及び前記セキュリティ情報に基づいて前記第１の放熱窓の開閉を制御し、
前記開閉制御部は、前記第２の温度センサによって検出された温度に基づく温度情報及び前記セキュリティ情報に基づいて前記第２の放熱窓の開閉を制御する
請求項１から請求項４の何れか一項に記載の制御装置。
【請求項６】
前記ラック本体の周辺にいる人を検知し、前記セキュリティ情報として、前記ラック本体の周辺に人がいるか否かを示す情報を前記セキュリティ情報取得部に出力する人感センサをさらに備える、
請求項１から請求項５の何れか一項に記載の制御装置。
【請求項７】
電子機器を内部に収容するラック本体と、
前記ラック本体の内部の熱を前記ラック本体の外部へ放出するための開閉式の放熱窓と、
前記ラック本体の周辺におけるセキュリティの状態を示すセキュリティ情報を取得するセキュリティ情報取得部と、
前記ラック本体の内部の温度を示す温度情報を取得する温度情報取得部と、
前記温度情報及び前記セキュリティ情報に基づいて前記放熱窓の開閉を制御する開閉制御部と、
を備えるサーバラック。
【請求項８】
前記ラック本体に対して開閉可能に取り付けられ、前記電子機器を覆う扉をさらに備え、
前記放熱窓は前記扉に設けられている
請求項７に記載のサーバラック。
【請求項９】
電子機器を内部に収容するラック本体の周辺におけるセキュリティの状態を示すセキュリティ情報を取得し、
前記ラック本体の内部の温度を示す温度情報を取得し、
前記温度情報及び前記セキュリティ情報に基づいて、前記ラック本体の内部の熱を前記ラック本体の外部へ放出するための放熱窓の開閉を制御する、
ことを含む制御方法。
【請求項１０】
電子機器を内部に収容するラック本体の周辺におけるセキュリティの状態を示すセキュリティ情報を取得し、
前記ラック本体の内部の温度を示す温度情報を取得し、
前記温度情報及び前記セキュリティ情報に基づいて、前記ラック本体の内部の熱を前記ラック本体の外部へ放出するための放熱窓の開閉を制御する、
ことをコンピュータに実行させるためのプログラム。
【発明の詳細な説明】
【技術分野】
【０００１】
本発明は、制御装置、サーバラック、制御方法及びプログラムに関する。
【背景技術】
【０００２】
近年、セキュリティ、災害対策、運用効率、エネルギー効率の観点で、データセンタでサービス提供をする企業が増えている。データセンタは、２４時間３６５日セキュアで高品質なサービスを実現するために、自家発電装置、最新の空調設備、指紋認証や顔認証などの生体認証を用いた入退室の管理ゲートなどの設備に加えて、良好な地盤の上に建てられ、耐震・免振構造の強固な構成となっている。
データセンタには、サーバ、ストレージ、ネットワークスイッチなどのコンピュータ機器を収容したサーバラックが多数配列されている。サーバは、ＣＰＵ（Central Processing Unit）やメモリ等への負荷が高い処理が行われると、内部温度が上昇し、発熱する熱量が大きくなるため、サーバラックの内部に熱が滞留する。
サーバラック内の温度が上昇すると、サーバでは、クロック周波数を制御して負荷を抑え、サーバに具備された冷却ファン装置の回転速度を上昇させて、放熱量を抑える動きとなる。サーバラックに収容するサーバの台数が増えると、サーバラック内の温度は上昇して、サーバの内部温度が最大許容温度を超えた場合に誤作動やシステムダウン、機器の故障につながる。
サーバラックでは、収容したサーバのセキュリティの確保や誤操作防止のため、前面と背面にラック扉が設置されており、普段は施錠されて開け閉めできない状況となっている。これにより、サーバラック内部は密閉された状態となり、熱が排出されず温度が下がらない原因となっている。
【０００３】
そのため、サーバラックの熱を内部から外部へ排出させるため、特別な冷却装置を用いる方法が提案されている。例えばサーバラックに複数設置した冷却ファンを複数のグループにグループ化したのち、グループ毎に代表温度を設定し、グループ毎に、そのグループに属する冷却ファンの回転速度を制御する方法がある。
このように複数の冷却ファンを用いる方法では、冷却するスペースに応じた冷却ファンが必要となり、サーバラックに設置するためのコストや、冷却ファンを稼働するための電力コストがかかる。また、データセンタやサーバルームの空調設備や空気の流れを分析または予測してから設置しなければ、サーバラックの外部に排出された熱が周辺のサーバラックやコンピュータ機器に影響を及ぼす場合がある。更に、サーバラックの周辺で長時間の作業する場合などには、冷却ファンの回転によるノイズ（騒音）が原因で、作業に集中できない等の問題が起きうる。
【０００４】
特許文献１には、サーバラック内に導入する外気の量を調整する開閉部の開閉量を外気温に応じて調節する技術が記載されている。
【先行技術文献】
【特許文献】
【０００５】
【特許文献１】特開２０１２−０７３７６０号公報
【発明の概要】
【発明が解決しようとする課題】
【０００６】
しかしながら、特許文献１に記載の技術では、例えばサーバラック周辺に人がいるときに開閉部が開くこともあるため、セキュリティを確保することや誤操作を防止することが困難であり、機密性や堅牢性を維持することができない。
【０００７】
そこでこの発明は、上述の課題を解決する制御装置、サーバラック、制御方法及びプログラムを提供することを目的としている。
【課題を解決するための手段】
【０００８】
本発明の第１の態様によれば、制御装置は、電子機器を内部に収容するラック本体の周辺におけるセキュリティの状態を示すセキュリティ情報を取得するセキュリティ情報取得部と、前記ラック本体の内部の温度を示す温度情報を取得する温度情報取得部と、前記温度情報及び前記セキュリティ情報に基づいて、前記ラック本体の内部の熱を前記ラック本体の外部へ放出するための放熱窓の開閉を制御する開閉制御部と、を備える。
【０００９】
本発明の第２の態様によれば、サーバラックは、電子機器を内部に収容するラック本体と、前記ラック本体の内部の熱を前記ラック本体の外部へ放出するための開閉式の放熱窓と、前記ラック本体の周辺におけるセキュリティの状態を示すセキュリティ情報を取得するセキュリティ情報取得部と、前記ラック本体の内部の温度を示す温度情報を取得する温度情報取得部と、前記温度情報及び前記セキュリティ情報に基づいて前記放熱窓の開閉を制御する開閉制御部と、を備える。
【００１０】
本発明の第３の態様によれば、制御方法は、電子機器を内部に収容するラック本体の周辺におけるセキュリティの状態を示すセキュリティ情報を取得し、前記ラック本体の内部の温度を示す温度情報を取得し、前記温度情報及び前記セキュリティ情報に基づいて、前記ラック本体の内部の熱を前記ラック本体の外部へ放出するための放熱窓の開閉を制御する、ことを含む。
【００１１】
本発明の第４の態様によれば、プログラムは、電子機器を内部に収容するラック本体の周辺におけるセキュリティの状態を示すセキュリティ情報を取得し、前記ラック本体の内部の温度を示す温度情報を取得し、前記温度情報及び前記セキュリティ情報に基づいて、前記ラック本体の内部の熱を前記ラック本体の外部へ放出するための放熱窓の開閉を制御する、ことをコンピュータに実行させる。
【発明の効果】
【００１２】
本発明によれば、機密性や堅牢性を維持しつつ、サーバラック内部の放熱効果を向上させることができる。
【図面の簡単な説明】
【００１３】
【図１】本発明の第１の実施形態によるサーバラックの外観構成を示す図である。
【図２】本発明の第１の実施形態による制御装置のハードウェア構成図である。
【図３】本発明の第１の実施形態による制御装置の機能構成図である。
【図４】本発明の第１の実施形態による制御装置の処理フローを示す図である。
【図５】本発明の第１の実施形態によるサーバラックの放熱窓を開いた状態を示す図である。
【図６】本発明の第１の実施形態によるサーバラックの放熱窓を閉じた状態を示す図である。
【図７】本発明の第２の実施形態による制御装置の処理フローを示す図である。
【図８】本発明の第３の実施形態による制御装置の処理フローを示す図である。
【図９】本発明の別の実施形態による制御装置の構成を示す図である。
【発明を実施するための形態】
【００１４】
以下、本発明の実施形態によるサーバラックを図面を参照して説明する。
【００１５】
＜第１の実施形態＞
まず第１の実施形態について説明する。
図１は第１の実施形態によるサーバラック１００の外観構成を示す図である。
サーバラック１００は、主にサーバ等の電子機器を収容するラックである。
図１で示すようにサーバラック１００は、一例としては、ラック本体１０と、２つのラック扉３０と、複数の温度センサ２０と、複数の制御装置４０と、人感センサ５０とを含む。２つのラック扉３０それぞれは、複数の放熱窓３１を有する。複数の温度センサ２０はそれぞれ、複数の放熱窓３１に対応する。複数の制御装置４０はそれぞれ、複数の放熱窓３１に対応する。
【００１６】
ラック本体１０は、例えばサーバやストレージやネットワークスイッチ等の１又は複数の電子機器Ｓを収容する。
ラック扉３０は、ラック本体１０の前面と背面それぞれに設置される扉である。ラック扉３０は、ラック本体１０に対して開閉可能に取り付けられ、電子機器Ｓを覆う。ラック扉３０は、通常時は閉じて施錠されており開くことができないようになっている。ラック扉３０は、複数の放熱窓３１と取手３２を有する。本実施形態では、一例として、各ラック扉３０はそれぞれ横に２つ縦に３つの合計６つの放熱窓３１を有する。
放熱窓３１は、ラック本体１０内部の熱を放出するための開閉式の排気口である。
【００１７】
人感センサ５０は、ラック本体１０周辺にいる人を検知する。人感センサ５０は、例えばラック本体１０の上部に設置される。人感センサ５０は、サーバラック１００周辺のセキュリティの状態を検知する。
温度センサ２０は、ラック本体１０内部の温度を計測する。複数の温度センサ２０は、それぞれ対応する放熱窓３１近傍に設置される。例えば各温度センサ２０は、ラック扉３０に沿ってラック本体１０に略等間隔に設置される。本実施形態では、一例として、各放熱窓３１に対応して横に２つ縦に３つの合計６つの温度センサ２０がラック本体１０の前面及び背面それぞれに設置されている。
制御装置４０は、対応する放熱窓３１の開閉を制御するコントローラである。複数の制御装置４０は、それぞれ対応する放熱窓３１及び温度センサ２０近傍に設置される。制御装置４０は、例えばラック扉３０に設置される。本実施形態では、一例として、各放熱窓３１に対応して合計６つの制御装置４０が前面及び背面のラック扉３０それぞれに設置されている。制御装置４０は、人感センサ５０、対応する温度センサ２０、及び対応する放熱窓３１と有線または無線により通信接続する。
【００１８】
図２は制御装置４０のハードウェア構成図である。
図２が示すように制御装置４０はＣＰＵ（Central Processing Unit）４０１、ＲＯＭ（Read Only Memory）４０２、ＲＡＭ（Random Access Memory）４０３、大容量記憶装置４０４、通信モジュール４０５等の各ハードウェアを備えたコンピュータである。
【００１９】
図３は制御装置４０の機能構成図である。
制御装置４０は電源が投入されると起動し、予め記憶する制御プログラムを実行する。これにより制御装置４０は、セキュリティ情報取得部４１、温度情報取得部４２、判定部４３、開閉制御部４４としての機能が実行可能になる。記憶部４５は、図２のＲＯＭ４０２、ＲＡＭ４０３、大容量記憶装置４０４のうち少なくとも一つに対応する。
【００２０】
セキュリティ情報取得部４１は、ラック本体１０周辺におけるセキュリティの状態を示すセキュリティ情報を人感センサ５０から取得する。本実施形態におけるセキュリティ情報は、ラック本体１０周辺にいる人の有無を示す情報である。
温度情報取得部４２は、対応する温度センサ２０からラック本体１０内部の温度を示す温度情報（温度データ）を取得する。
判定部４３は、温度情報及びセキュリティ情報に基づいて、対応する放熱窓３１の開閉状態を判定する。例えば判定部４３は、温度が所定値以上であって、セキュリティに異常がない場合に、放熱窓３１を開くと判定する。また判定部４３は、温度が所定値より小さい場合、またはセキュリティに異常がある場合に、放熱窓３１を閉めると判定する。
開閉制御部４４は、判定部４３の判定結果に基づいて放熱窓３１の開閉を制御する。
記憶部４５は、放熱窓３１を開く温度の閾値等の各種データを記憶する。
【００２１】
図４は制御装置４０の処理フローを示す図である。
次に、制御装置４０による処理を説明する。
まず制御装置４０のセキュリティ情報取得部４１が、人感センサ５０からセキュリティ情報を取得する。判定部４３は取得したセキュリティ情報に基づいてセキュリティに異常がないか否かを判定する（ステップＳ１０１）。例えば、判定部４３は、人感センサ５０が人を検知している場合にはセキュリティに異常があると判定する。判定部４３は、人感センサ５０が人を検知していない場合にはセキュリティに異常がないと判定する。
【００２２】
判定部４３がセキュリティに異常がないと判定した場合（ステップＳ１０１：ＮＯ）、温度情報取得部４２が、対応する温度センサ２０から温度情報を取得する（ステップＳ１０２）。温度センサ２０はリアルタイムにラック本体１０内部の温度を計測している。判定部４３は、温度情報の示す温度が所定の閾値以上であるか否かを判定する（ステップＳ１０３）。この閾値は、例えばサーバの最大許容温度を超えない温度であり、ラック本体１０に搭載された電子機器Ｓの台数や周辺環境に応じて予め一意に設定されている。温度が所定の閾値以上である場合（ステップＳ１０３：ＹＥＳ）、開閉制御部４４は、放熱窓３１を開くよう制御する（ステップＳ１０４）。その後処理を終了する。
【００２３】
図５はサーバラック１００の放熱窓３１が開いた状態を示す図である。
図５では、開いた状態を分かりやすくするため、ラック扉３０に設置された全ての放熱窓３１を左右に開いた状態を示している。しかしながら、開閉制御部４４が開くように制御するのは、対応する温度センサ２０の測定する温度が閾値以上である放熱窓３１のみである。すなわち、開閉制御部４４は、対応する温度センサ２０の測定する温度が閾値より小さい放熱窓３１は開かない。例えば、左上部に設置された温度センサ２０の測定する温度が閾値以上であり、他の温度センサ２０の測定する温度が閾値より小さい場合、左上部の放熱窓３１のみが開き、他の放熱窓３１は閉じたままである。つまり、各制御装置４０は、それぞれ個別に動作して対応する放熱窓３１を制御する。
【００２４】
図４の処理フローの説明に戻る。
判定部４３がセキュリティに異常があると判定した場合（ステップＳ１０１：ＹＥＳ）、及び温度が所定の閾値より小さい場合（ステップＳ１０３：ＮＯ）、開閉制御部４４は、放熱窓３１を閉じるよう制御する（ステップＳ１０５）。その後処理を終了する。
【００２５】
図６はサーバラック１００の放熱窓３１を閉じた状態を示す図である。
図６は、ラック扉３０に設置された全ての放熱窓３１を閉じた状態を示している。例えばセキュリティに異常がある場合には、開閉制御部４４は全ての放熱窓３１を閉じる。一方、セキュリティに異常がない場合には、開閉制御部４４は対応する温度センサ２０の測定する温度が閾値より小さい放熱窓３１のみ閉じるように制御する。すなわち、開閉制御部４４は、対応する温度センサ２０の測定する温度が閾値以上である放熱窓３１は閉じない。つまり、各制御装置４０は、それぞれ個別に動作して対応する放熱窓３１を制御する。
【００２６】
上述の処理により、制御装置４０は、電子機器Ｓを収容するラック本体１０内部の温度を示す温度情報を温度センサ２０から取得し、ラック本体１０周辺のセキュリティの状態を示すセキュリティ情報を人感センサ５０から取得し、温度情報及びセキュリティ情報に基づいて、ラック本体１０内部の熱を外部へ放出するための開閉式の放熱窓３１の開閉を制御する。より具体的には、制御装置４０の開閉制御部４４は、温度が所定値以上であって、セキュリティに異常がない場合に、放熱窓３１を開く。よって、制御装置４０は、サーバラック１００周辺に人がいない場合にのみ、ラック本体１０内部の温度が高い箇所の放熱窓３１を開いてラック本体１０の放熱を行う。これにより、機密性や堅牢性を維持しながら、サーバラック１００の放熱効果を向上させることができる。また、放熱のために冷却ファンを追加する必要がなく、冷却ファンを稼働する電力が不要である。さらに、放熱窓３１による自然放熱を行うため、周辺のサーバラックやコンピュータ機器や人に及ぼす影響が少ない。
【００２７】
＜第２の実施形態＞
続いて第２の実施形態について説明する。
第２の実施形態におけるサーバラック１００の構成は、第１の実施形態と同様であるため、その説明を省略する。
第１の実施形態では、制御装置４０はラック本体１０内部の温度が閾値より高くなると放熱窓３１を開いている。第２の実施形態は、放熱窓３１が頻繁に開閉するのを防ぐために、温度が閾値以上になった回数が所定数に達した場合に放熱窓３１を開く点が第１の実施形態と異なる。
【００２８】
すなわち、第２の実施形態における開閉制御部４４は、温度情報の示す温度が所定値以上である回数が所定数に達した場合であって、セキュリティに異常がない場合に、対応する放熱窓３１を開く。なお、放熱窓３１は閉っている状態を初期状態とする。そのため、開閉制御部４４は、温度が閾値を下回った際は速やかに放熱窓３１を閉める。所定数は、２以上の任意の数である。
【００２９】
図７は制御装置４０の処理フローを示す図である。
次に、制御装置４０による処理を説明する。
まず制御装置４０のセキュリティ情報取得部４１が、人感センサ５０からセキュリティ情報を取得する。判定部４３は取得したセキュリティ情報に基づいてセキュリティに異常がないか否かを判定する（ステップＳ２０１）。
【００３０】
判定部４３がセキュリティに異常がないと判定した場合（ステップＳ２０１：ＮＯ）、温度情報取得部４２が、対応する温度センサ２０から温度情報を取得する（ステップＳ２０２）。判定部４３は、温度情報の示す温度が所定の閾値以上であるか否かを判定する（ステップＳ２０３）。温度が所定の閾値以上である場合（ステップＳ２０３：ＹＥＳ）、判定部４３は、温度が閾値を上回った回数をカウントするカウンタの値に「１」を加算する（ステップＳ２０４）。カウンタの初期値は「０」である。
【００３１】
続いて判定部４３は、カウンタの値が所定数に達したか否かを判定する（ステップＳ２０５）。カウンタの値が所定数に達していない場合（ステップＳ２０５：ＮＯ）、ステップＳ２０１の処理に戻る。カウンタの値が所定数に達した場合（ステップＳ２０５：ＹＥＳ）、判定部４３は、カウンタの値を「０」に初期化する（ステップＳ２０６）。その後、開閉制御部４４は、放熱窓３１を開くよう制御する（ステップＳ２０７）。その後処理を終了する。
【００３２】
一方、判定部４３がセキュリティに異常があると判定した場合（ステップＳ２０１：ＹＥＳ）、及び温度が所定の閾値より小さい場合（ステップＳ２０３：ＮＯ）、開閉制御部４４は、放熱窓３１を閉じるよう制御する（ステップＳ２０８）。その後処理を終了する。
【００３３】
上述の処理により、制御装置４０は、電子機器Ｓを収容するラック本体１０内部の温度を示す温度情報を温度センサ２０から取得し、ラック本体１０周辺のセキュリティの状態を示すセキュリティ情報を人感センサ５０から取得し、温度情報及びセキュリティ情報に基づいて、ラック本体１０内部の熱を外部へ放出するための開閉式の放熱窓３１の開閉を制御する。より具体的には、制御装置４０の開閉制御部４４は、温度が所定値以上である回数が所定数に達した場合であって、セキュリティに異常がない場合に、放熱窓３１を開く。これにより、第１の実施形態における効果に加えて、放熱窓３１が頻繁に開閉することを防ぐことができる。よって、放熱窓３１を開け閉めする回数が減り、放熱窓３１を制御するための消費電力を抑えることができる。
【００３４】
＜第３の実施形態＞
続いて第３の実施形態について説明する。
第３実施形態におけるサーバラック１００の構成は、第１の実施形態と同様であるため、その説明を省略する。
第１の実施形態では、制御装置４０はセキュリティに異常がある場合には放熱窓３１を開かない。第３の実施形態は、セキュリティに異常がある場合であっても温度が所定値以上である場合には所定の開口率（全開未満の開口率）で放熱窓３１を開く点が第１の実施形態と異なる。所定の開口率は、例えばラック本体１０内部の電子機器Ｓを操作できない程度の開き具合である。所定の開口率は予め設定されている。開口率は、放熱窓３１の傾き度合であってもよい。
【００３５】
すなわち、第３の実施形態における開閉制御部４４は、温度情報の示す温度が所定値以上であって、セキュリティに異常がある場合には、対応する放熱窓３１を所定の開口率で開く。
【００３６】
図８は制御装置４０の処理フローを示す図である。
次に、制御装置４０による処理を説明する。
まず制御装置４０の温度情報取得部４２が、対応する温度センサ２０から温度情報を取得する（ステップＳ３０１）。判定部４３は、取得した温度情報が示す温度が所定の閾値以上であるか否かを判定する（ステップＳ３０２）。
【００３７】
温度が所定の閾値以上である場合（ステップＳ３０２：ＹＥＳ）、セキュリティ情報取得部４１が、人感センサ５０からセキュリティ情報を取得する。判定部４３は取得したセキュリティ情報に基づいてセキュリティに異常がないか否かを判定する（ステップＳ３０３）。
【００３８】
判定部４３がセキュリティに異常がないと判定した場合（ステップＳ３０３：ＮＯ）、開閉制御部４４は、対応する放熱窓３１を全開（例えば、開口率：１００％）で開くよう制御する（ステップＳ３０４）。その後処理を終了する。
【００３９】
一方、セキュリティに異常があると判定した場合（ステップＳ３０３：ＹＥＳ）、開閉制御部４４は、対応する放熱窓３１を所定の開口率（例えば、開口率：３０％）で開くよう制御する（ステップＳ３０５）。その後処理を終了する。
【００４０】
また、温度が所定の閾値より小さい場合（ステップＳ３０２：ＮＯ）、開閉制御部４４は、対応する放熱窓３１を閉じるよう制御する（ステップＳ３０６）。その後処理を終了する。
【００４１】
上述の処理により、制御装置４０は、電子機器Ｓを収容するラック本体１０内部の温度を示す温度情報を温度センサ２０から取得し、ラック本体１０周辺のセキュリティの状態を示すセキュリティ情報を人感センサ５０から取得し、温度情報及びセキュリティ情報に基づいて、ラック本体１０内部の熱を外部へ放出するための開閉式の放熱窓３１の開閉を制御する。より具体的には、制御装置４０の開閉制御部４４は、温度が所定値以上であって、セキュリティに異常がある場合には、所定の開口率で放熱窓３１を開く。これにより、第１の実施形態における効果に加えて、セキュリティに異常がある場合であっても、機密性や堅牢性を維持しながら、サーバラック１００を放熱することができる。
【００４２】
以上本発明の複数の実施形態について説明したが、本発明は、上記実施形態に限定されるものではなく、本発明の趣旨を逸脱しない範囲において種々の変更を加えることが可能である。
【００４３】
例えば、上述した実施形態では、サーバラック１００は、複数の放熱窓３１それぞれに対応した制御装置４０を備えているが、このような例に限定されない。例えば、１つの制御装置４０が複数の放熱窓３１それぞれの開閉を制御してもよい。また、上述した実施形態では、サーバラック１００内部に制御装置４０を設置しているが、このような例に限定されない。例えば、サーバラック１００外部に制御装置４０を設置してもよい。
【００４４】
また、上述した実施形態では、放熱窓３１が長方形である場合を例示しているが、このような例に限定されない。例えば、ラック本体１０内部の熱を放出できるものであれば放熱窓３１の大きさや形状は任意でよい。また、サーバラック１００が有する放熱窓３１の数は上述したものに限定されない。例えば、放熱窓３１の数は、１であってもよい。また、放熱窓３１が開閉する方向は上述したものに限られない。放熱窓３１が開閉する方向は、ラック本体１０内部の熱を放出できるものであれば、上下、左右、前後等任意でよい。
【００４５】
また、上述した実施形態では、１つの温度センサ２０に１つの放熱窓３１を対応付けて温度センサ２０と放熱窓３１との数が同一である場合を例示したが、このような例に限定されない。例えば、１つの温度センサ２０に複数の放熱窓３１を対応付けて温度センサ２０の数が放熱窓３１の数より少なくなるようにしてもよい。例えば以下のような構成としてもよい。すなわち、温度センサ２０を上部、中部、下部の３箇所に設置する。上部の温度センサ２０に左上部及び右上部の放熱窓３１を対応付ける。中部の温度センサ２０に左中部及び右中部の放熱窓３１を対応付ける。下部の温度センサ２０に左下部及び右下部の放熱窓３１を対応付ける。この場合には、制御装置４０は、左右に並んで設置された２つの放熱窓３１の開閉を、対応する１つの温度センサ２０が測定する温度に基づいて制御する。
【００４６】
また、温度情報取得部４２が温度情報を取得するタイミングは、上述したものに限られず、例えばセキュリティ情報取得部４１がセキュリティ情報を取得する前であってもよい。
【００４７】
また、上述した実施形態では、制御装置４０のセキュリティ情報取得部４１は、人感センサ５０からセキュリティ情報を取得しているが、このような例に限定されない。例えば、制御装置４０は、サーバラック１００が設置されるサーバルームの入退室を管理する入退室管理システムから、サーバルーム内にいる人を示すセキュリティ情報を取得してもよい。この場合には、制御装置４０の開閉制御部４４は、サーバルーム内にいる人の権限に応じて放熱窓３１の開閉を制御してもよい。例えば、開閉制御部４４は、サーバルーム内に人が権限を有する場合には、セキュリティに異常がいないと判断し、放熱窓３１を開くようにしてもよい。
【００４８】
また、上述した各実施形態や各変形例の１つまたは複数、上述した各実施形態や各変形例の一部または全部を組み合わせて本発明の一態様を実現するようにしてもよい。
【００４９】
図９は別の実施形態に係る制御装置４０の構成を示す図である。
制御装置４０は、少なくともセキュリティ情報取得部４１、温度情報取得部４２、及び開閉制御部４４を備えればよい。
温度情報取得部４２は、ラック本体内部の温度を示す温度情報を取得する。
開閉制御部４４は、温度情報及びセキュリティ情報に基づいて放熱窓の開閉を制御する。
【００５０】
上述の制御装置４０は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００５１】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００５２】
１００・・・ラック
１０・・・ラック本体
２０・・・温度センサ
３０・・・ラック扉
３１・・・放熱窓
４０・・・制御装置
４１・・・セキュリティ情報取得部
４２・・・温度情報取得部
４３・・・判定部
４４・・・開閉制御部
４５・・・記憶部
５０・・・人感センサ
【図１】
2020154703.tif 000003
【図２】
2020154703.tif 000004
【図３】
2020154703.tif 000005
【図４】
2020154703.tif 000006
【図５】
2020154703.tif 000007
【図６】
2020154703.tif 000008
【図７】
2020154703.tif 000009
【図８】
2020154703.tif 000010
【図９】
2020154703.tif 000011
【手続補正書】
【提出日】令和2年4月28日(2020.4.28)
【手続補正１】
【補正対象書類名】特許請求の範囲
【補正対象項目名】全文
【補正方法】変更
【補正の内容】
【特許請求の範囲】
【請求項１】
電子機器を内部に収容するラック本体の周辺に人がいるか否かを示すセキュリティ情報を、前記ラック本体の周辺にいる人を検知する人感センサから取得するセキュリティ情報取得部と、
前記ラック本体の内部の温度を示す温度情報を取得する温度情報取得部と、
前記温度情報及び前記セキュリティ情報に基づいて、前記ラック本体の内部の熱を前記ラック本体の外部へ放出するための放熱窓の開閉を制御する開閉制御部と、
を備える制御装置。
【請求項２】
前記開閉制御部は、前記セキュリティ情報が人を検知していないことを示しており、かつ、前記温度情報が所定値以上の温度を示している場合に、前記放熱窓を開く
請求項１に記載の制御装置。
【請求項３】
前記開閉制御部は、前記セキュリティ情報が人を検知していることを示しており、かつ、前記温度情報が前記所定値以上の温度を示している場合には、前記セキュリティ情報が人を検知していないことを示しており、かつ、前記温度情報が前記所定値以上の温度を示している場合の開口率よりも低い開口率で前記放熱窓を開く
請求項２に記載の制御装置。
【請求項４】
前記開閉制御部は、前記セキュリティ情報が人を検知していないことを示しており、かつ、前記温度情報が所定値以上の温度を示すことが検出された回数が所定数に達した場合に、前記放熱窓を開く
請求項１に記載の制御装置。
【請求項５】
前記放熱窓は、第１および第２の放熱窓を含み、
前記第１の放熱窓の近傍に設置され、温度を検出する第１の温度センサと、
前記第２の放熱窓の近傍に設置され、温度を検出する第２の温度センサと、
をさらに備え、
前記開閉制御部は、前記第１の温度センサによって検出された温度に基づく温度情報及び前記セキュリティ情報に基づいて前記第１の放熱窓の開閉を制御し、
前記開閉制御部は、前記第２の温度センサによって検出された温度に基づく温度情報及び前記セキュリティ情報に基づいて前記第２の放熱窓の開閉を制御する
請求項１から請求項４の何れか一項に記載の制御装置。
【請求項６】
電子機器を内部に収容するラック本体と、
前記ラック本体の周辺にいる人を検知し、前記ラック本体の周辺に人がいるか否を示すセキュリティ情報を出力する人感センサと、
前記ラック本体の内部の熱を前記ラック本体の外部へ放出するための開閉式の放熱窓と、
前記人感センサから前記セキュリティ情報を取得するセキュリティ情報取得部と、
前記ラック本体の内部の温度を示す温度情報を取得する温度情報取得部と、
前記温度情報及び前記セキュリティ情報に基づいて前記放熱窓の開閉を制御する開閉制御部と、
を備えるサーバラック。
【請求項７】
前記ラック本体に対して開閉可能に取り付けられ、前記電子機器を覆う扉をさらに備え、
前記放熱窓は前記扉に設けられている
請求項６に記載のサーバラック。
【請求項８】
電子機器を内部に収容するラック本体の周辺に人がいるか否かを示すセキュリティ情報を、前記ラック本体の周辺にいる人を検知する人感センサから取得し、
前記ラック本体の内部の温度を示す温度情報を取得し、
前記温度情報及び前記セキュリティ情報に基づいて、前記ラック本体の内部の熱を前記ラック本体の外部へ放出するための放熱窓の開閉を制御する、
ことを含む制御方法。
【請求項９】
電子機器を内部に収容するラック本体の周辺に人がいるか否かを示すセキュリティ情報を、前記ラック本体の周辺にいる人を検知する人感センサから取得し、
前記ラック本体の内部の温度を示す温度情報を取得し、
前記温度情報及び前記セキュリティ情報に基づいて、前記ラック本体の内部の熱を前記ラック本体の外部へ放出するための放熱窓の開閉を制御する、
ことをコンピュータに実行させるためのプログラム。
【手続補正２】
【補正対象書類名】明細書
【補正対象項目名】０００８
【補正方法】変更
【補正の内容】
【０００８】
本発明の第１の態様によれば、制御装置は、電子機器を内部に収容するラック本体の周辺に人がいるか否かを示すセキュリティ情報を、前記ラック本体の周辺にいる人を検知する人感センサから取得するセキュリティ情報取得部と、前記ラック本体の内部の温度を示す温度情報を取得する温度情報取得部と、前記温度情報及び前記セキュリティ情報に基づいて、前記ラック本体の内部の熱を前記ラック本体の外部へ放出するための放熱窓の開閉を制御する開閉制御部と、を備える。
【手続補正３】
【補正対象書類名】明細書
【補正対象項目名】０００９
【補正方法】変更
【補正の内容】
【０００９】
本発明の第２の態様によれば、サーバラックは、電子機器を内部に収容するラック本体と、前記ラック本体の周辺にいる人を検知し、前記ラック本体の周辺に人がいるか否を示すセキュリティ情報を出力する人感センサと、前記ラック本体の内部の熱を前記ラック本体の外部へ放出するための開閉式の放熱窓と、前記人感センサから前記セキュリティ情報を取得するセキュリティ情報取得部と、前記ラック本体の内部の温度を示す温度情報を取得する温度情報取得部と、前記温度情報及び前記セキュリティ情報に基づいて前記放熱窓の開閉を制御する開閉制御部と、を備える。
【手続補正４】
【補正対象書類名】明細書
【補正対象項目名】００１０
【補正方法】変更
【補正の内容】
【００１０】
本発明の第３の態様によれば、制御方法は、電子機器を内部に収容するラック本体の周辺に人がいるか否かを示すセキュリティ情報を、前記ラック本体の周辺にいる人を検知する人感センサから取得し、前記ラック本体の内部の温度を示す温度情報を取得し、前記温度情報及び前記セキュリティ情報に基づいて、前記ラック本体の内部の熱を前記ラック本体の外部へ放出するための放熱窓の開閉を制御する、ことを含む。
【手続補正５】
【補正対象書類名】明細書
【補正対象項目名】００１１
【補正方法】変更
【補正の内容】
【００１１】
本発明の第４の態様によれば、プログラムは、電子機器を内部に収容するラック本体の周辺に人がいるか否かを示すセキュリティ情報を、前記ラック本体の周辺にいる人を検知する人感センサから取得し、前記ラック本体の内部の温度を示す温度情報を取得し、前記温度情報及び前記セキュリティ情報に基づいて、前記ラック本体の内部の熱を前記ラック本体の外部へ放出するための放熱窓の開閉を制御する、ことをコンピュータに実行させる。